(57)【要約】【課題】  記録素子の抵抗値のばらつきに係わりなく、より具体的には、記録素子の抵抗値の製造ばらつきを考慮して、様々な駆動条件時に発生する記録素子に印加されるエネルギーバラツキを押さえ、記録特性に優れ高品位な記録が可能で耐久性向上を図った記録ヘッド基板、記録ヘッド、及び記録装置を提供することである。【解決手段】  複数の記録素子とそれら複数の記録素子夫々に対応した複数のドライバとして動作するＭＯＳトランジスタとを備えた記録ヘッド基板において、ＭＯＳトランジスタはチャネル幅とチャネル長との内、少なくともいずれかを小さくすることで小型化を図り、そのＭＯＳトランジスタを飽和領域で動作させるようにする。【選択図】  図１
2005138426.tif 000002
【特許請求の範囲】
【請求項１】
共通の電源線に接続され発熱抵抗体で構成された複数の記録素子と、前記記録素子に直列に接続され前記記録素子の駆動を制御するＭＯＳトランジスタとで構成されるインクジェット記録ヘッドと、
前記インクジェット記録ヘッドの記録素子を駆動するための電源電圧を供給する電源回路とを有し、
電源電圧と前記記録素子の抵抗値と前記ＭＯＳトランジスタの特性とに基づいて決定される電流値が、前記ＭＯＳトランジスタの動作点が前記ＭＯＳトランジスタの飽和領域となる電流値に設定が成されていることを特徴とするインクジェット記録装置。
【請求項２】
前記設定は、ＭＯＳトランジスタのサイズ、発熱抵抗体の抵抗値、電源電圧によって成されている請求項１に記載のインクジェット記録装置。
【請求項３】
前記ＭＯＳトランジスタのサイズとはゲート幅であることを特徴とする請求項２に記載のインクジェット記録装置。
【請求項４】
共通の電源線に接続され発熱抵抗体で構成された複数の記録素子を有するインクジェット記録ヘッドであって、
前記記録素子に直列に接続され前記記録素子の駆動を制御するＭＯＳトランジスタを有し、
前記電源線に与えられる電圧と前記記録素子の抵抗値と前記ＭＯＳトランジスタの特性とにもとづいて決定される電流値が、前記ＭＯＳトランジスタの動作点が前記ＭＯＳトランジスタの飽和領域となるように設定が成されていることを特徴とするインクジェット記録ヘッド。
【請求項５】
前記設定は、ＭＯＳトランジスタのサイズ、発熱抵抗体の抵抗値、電源電圧によって成されている請求項４に記載のインクジェット記録ヘッド。
【請求項６】
共通の電源線に接続され発熱抵抗体で構成された複数の記録素子を有する記録ヘッド基板であって、
前記記録素子に直列に接続され前記記録素子の駆動を制御するＭＯＳトランジスタを有し、
前記電源線に与えられる電圧と前記記録素子の抵抗値と前記ＭＯＳトランジスタの特性とにもとづいて決定される電流値が、前記ＭＯＳトランジスタの動作点が前記ＭＯＳトランジスタの飽和領域となるように設定が成されていることを特徴とする記録ヘッド基板。
【請求項７】
共通の電源線に接続され発熱抵抗体で構成された複数の記録素子を有する記録ヘッドカートリッジであって、
前記記録素子に直列に接続され前記記録素子の駆動を制御するＭＯＳトランジスタを有し、
前記電源線に与えられる電圧と前記記録素子の抵抗値と前記ＭＯＳトランジスタの特性とにもとづいて決定される電流値が、前記ＭＯＳトランジスタの動作点が前記ＭＯＳトランジスタの飽和領域となるように設定が成されていることを特徴とする記録ヘッドカートリッジ。
【発明の詳細な説明】
【技術分野】
【０００１】
本発明は記録ヘッド基板、インクジェット記録ヘッド、記録ヘッドカートリッジ、及びインクジェット記録装置に関し、特に、例えば、記録媒体へインクを吐出して画像等の記録を行なうために用いる記録ヘッド基板、インクジェット記録ヘッド、記録ヘッドカートリッジ、及びインクジェット記録装置に関する。
【背景技術】
【０００２】
例えばワードプロセッサ、パーソナルコンピュータ、ファクシミリ等に於ける情報出力装置として、所望される文字や画像等の情報を用紙やフィルム等シート状の記録媒体に記録を行うプリンタがある。
【０００３】
プリンタの記録方式としては様々な方式が知られているが、用紙等の記録媒体に非接触記録が可能である、カラー化が容易である、静粛性に富む、等の理由でインクジェット方式が近年特に注目されており、又その構成としては所望される記録情報に応じてインクを吐出する記録ヘッドを装着すると共に用紙等の記録媒体の送り方向と直角な方向に往復走査しながら記録を行なうシリアル記録方式が安価で小型化が容易などの点から一般的に広く用いられている。
【０００４】
インクジェット方式のうち、バブルジェット（登録商標）記録方式（ＢＪ方式）は、発熱体（ヒータ）によりインクを急激に加熱、気化させ、発生した気泡の圧力によりインク液滴をオリフィスから吐出させる方式である。
【０００５】
図４は、バブルジェット記録方式で記録を行うインクジェットプリンタの記録ヘッド内部のヒータ駆動回路の例を示す回路図である。
【０００６】
記録ヘッドの素子基板上に形成されたヒータ素子Ｒ１とそのヒータ素子に電流のスイッチングを行うためのスイッチング素子Ｑ１とが電源ＶＨとグランド間に直列接続されており、プリンタ本体からの記録情報に応じた制御信号により、任意のスイッチング素子がオン又はオフされ、駆動されたヒータ素子に対応するノズルからインクが吐出されて画像が形成される。
【０００７】
この様なヒータ素子から発生する熱エネルギーを利用してインクを吐出させる記録ヘッドを有するプリンタにおいて、高品位な画像を得るためには、吐出されるインク滴の体積を常に一定で安定させることが必要である。このためには、ヒータの発熱量を一定に保つことが望ましいと考えられてきた。
【０００８】
ここで、電気エネルギーを熱エネルギーに変換するヒータでの発熱量Ｐは、Ｖをヒータでの電位差、Ｒをヒータの抵抗値、ｔを電圧印加時間であるとするとき、
Ｐ＝（Ｖ2／Ｒ）・ｔ              （１）
で表される。
【０００９】
式（１）から解るように、ヒータでの発熱量はヒータの抵抗値及びヒータに印加される電圧によって大きく変化する。このうちヒータの抵抗値は、ヒータの製造プロセス上２０％程度のばらつきが発生する。このバラツキによる発熱量への影響を抑える方法としていくつかの方法が知られている（例えば、特許文献１、２参照）。
【００１０】
特許文献１に記載された方法は、記録ヘッド内にインク吐出用ヒータと同一材料で形成したダミーヒータの抵抗値を測定し、この抵抗値よりインク吐出用ヒータの抵抗値を算出し、算出されたヒータの抵抗値に応じてヒータへ印加するパルス信号のパルス幅を調節してヒータでの発熱量を最適化するものである。
【００１１】
また、特許文献２に記載された方法では、ヒータに直接に接続される、ＭＯＳトランジスタ等のスイッチング素子のオン抵抗も製造上のバラツキを持っている。このＭＯＳトランジスタのオン抵抗は電源とグランド間にヒータの抵抗と直列に挿入されるため、ヒータに対して印加される電圧は、電源電圧を、ヒータの抵抗とＭＯＳトランジスタのオン抵抗の比で分圧した電圧となる。
【００１２】
このためＭＯＳトランジスタのオン抵抗のバラツキは、式（１）におけるＶの項が変化するのと等価であり、ヒータの発熱量に影響を与える。この影響を抑えるために、上記特許文献に記載の方法と同様に、記録ヘッド内にダミーのＭＯＳトランジスタを形成し、このＭＯＳトランジスタのオン抵抗を測定し、ヒータに印加される電圧Ｖを算出し、その結果を用いてヒータでの発熱量が一定となるようにヒータに印加するパルス信号のパルス幅を調節する方法が用いられている。
【００１３】
上記背景を元にエネルギーを一定にするという観点で効果がある構成として記録素子に一定の電流が流れるように記録素子の両端の電圧が一定になるようにスイッチング素子を制御することが提案されている（例えば、特許文献３参照）。
【特許文献１】特開平７−７６０７７号公報
【特許文献２】特開平１０−９５１１６号公報
【特許文献３】特開２００１−２７７５１６号公報
【発明の開示】
【発明が解決しようとする課題】
【００１４】
インクジェット記録ヘッドの記録素子に用いられる一般的な発熱体は特開昭５６−８９５７８号公報や特開昭６１−１００４７６号公報の本文中記載にあるように温度係数が負（すなわち吐出のための駆動時の温度上昇に伴って記録素子の抵抗が下がる）の材料を一般的に用いている。
【００１５】
この場合、特許文献３にあるように記録素子の両端の電圧が一定となるように記録素子に流れる電流を制御すると高温時に記録素子の抵抗が下がることによって記録素子に流れる電流が増加して、その結果駆動の後半において記録素子に印加されるエネルギーがさらに増大する。
【００１６】
記録素子の熱による膜沸騰の力を利用したバブルジェット記録方式において、発泡後の記録素子の温度は低ければ低い程、記録素子の寿命が延びることがわかっている。
【００１７】
本発明は従来の記録ヘッド構成のまま、あるいはさらに記録ヘッド基板の小型化をはかりながら、特許文献３に対して簡易に負の温度係数を有する記録素子の温度が上昇して記録素子の抵抗が下がっても記録素子に印加されるエネルギーの増大を防ぎ、寿命を長くできるように記録素子に一定の電流を流すことができる記録ヘッド基板、インクジェット記録ヘッド、記録ヘッドカートリッジ、及び駆動条件を備えたインクジェット記録装置を提供することを目的とする。
【課題を解決するための手段】
【００１８】
上記目的を達成するため本発明のインクジェット記録装置やインクジェット記録ヘッドは、以下の構成からなる。
【００１９】
即ち、共通の電源線に接続され発熱抵抗体で構成された複数の記録素子と前記記録素子に直列に接続され前記記録素子の駆動を制御するＭＯＳトランジスタとで構成されるインクジェット記録ヘッドと、前記インクジェット記録ヘッドの記録素子を駆動するための電源電圧を供給する電源回路とを有し、電源電圧と前記記録素子の抵抗値と前記ＭＯＳトランジスタの特性とに基づいて決定される電流値が、前記ＭＯＳトランジスタの動作点が前記ＭＯＳトランジスタの飽和領域となる電流値に設定が成されていることを特徴とするインクジェット記録装置を備える。
【００２０】
また、共通の電源線に接続され発熱抵抗体で構成された複数の記録素子を有するインクジェット記録ヘッドであって、前記記録素子に直列に接続され前記記録素子の駆動を制御するＭＯＳトランジスタを有し、前記電源線に与えられる電圧と前記記録素子の抵抗値と前記ＭＯＳトランジスタの特性とにもとづいて決定される電流値が、前記ＭＯＳトランジスタの動作点が前記ＭＯＳトランジスタの飽和領域となるように設定が成されていることを特徴とする。
【００２１】
さらに、上記インクジェット記録ヘッドと同様の構成を備えた記録ヘッド基板や記録ヘッドカートリッジを備える。
【００２２】
また、前記ＭＯＳトランジスタのサイズとはゲート幅で小型化することで飽和領域が動作点となるようにする。
【発明の効果】
【００２３】
従って本発明によれば、従来の記録ヘッド構成のまま、あるいはさらに記録ヘッド基板の小型化をはかりながら、特許文献３のように記録素子で消費するエネルギーを安定化させながら負の温度係数を有する記録素子の温度が上昇して記録素子の抵抗が下がっても記録素子に印加されるエネルギーの増大を防ぎ、寿命を長くできるように記録素子に一定の電流を流すことができな記録ヘッドの回路基板、記録ヘッド、記録装置を提供することができるという効果がある。
【発明を実施するための最良の形態】
【００２４】
以下添付図面を参照して本発明の好適な実施例について詳細に説明する。
【００２５】
なお、本発明において用いている「記録」という語は、文字や図形などの意味をもつ画像を記録媒体に対して付与することだけでなく、パターン等の意味をもたない画像を付与することをも意味するものである。
【００２６】
以下に用いる「素子基板」とは、シリコン半導体からなる単なる基体を指し示すものではなく、各素子や配線等が設けられた基体を示すものである。さらに、「素子基板上」とは、単に素子基体の上を指し示すだけでなく、素子基体の表面、表面近傍の素子基体内部側をも示すものである。また、本発明でいう「作り込み」とは、別体の各素子を単に基体上に配置することを示すのではなく、各素子を半導体回路の製造工程等によって素子基体上に一体的に形成、製造することを示すものである。
【００２７】
始めに、以下で説明する本発明の記録ヘッドを用いる記録装置の代表的な全体構成および制御構成について説明する。
【００２８】
＜装置本体の概略説明＞
図５は、本発明の代表的な実施例であるインクジェットプリンタＩＪＲＡの構成の概要を示す外観斜視図である。図５において、駆動モータ５０１３の正逆回転に連動して駆動力伝達ギア５００９〜５０１１を介して回転するリードスクリュー５００５の螺旋溝５００４に対して係合するキャリッジＨＣはピン（不図示）を有し、ガイドレール５００３に支持されて矢印ａ，ｂ方向を往復移動する。キャリッジＨＣには、記録ヘッドＩＪＨとインクタンクＩＴとを内蔵した一体型インクジェットカートリッジＩＪＣが搭載されている。
【００２９】
５００２は紙押え板であり、キャリッジＨＣの移動方向に亙って記録用紙Ｐをプラテン５０００に対して押圧する。５００７，５００８はフォトカプラで、キャリッジのレバー５００６のこの域での存在を確認して、モータ５０１３の回転方向切り換え等を行うためのホームポジション検知器である。
【００３０】
５０１６は記録ヘッドＩＪＨの前面をキャップするキャップ部材５０２２を支持する部材で、５０１５はこのキャップ内を吸引する吸引器で、キャップ内開口５０２３を介して記録ヘッドの吸引回復を行う。５０１７はクリーニングブレードで、５０１９はこのブレードを前後方向に移動可能にする部材であり、本体支持板５０１８にこれらが支持されている。ブレードは、この形態でなく周知のクリーニングブレードが本例に適用できることは言うまでもない。
【００３１】
又、５０２１は、吸引回復の吸引を開始するためのレバーで、キャリッジと係合するカム５０２０の移動に伴って移動し、駆動モータからの駆動力がクラッチ切り換え等の公知の伝達機構で移動制御される。
【００３２】
これらのキャッピング、クリーニング、吸引回復は、キャリッジがホームポジション側の領域に来た時にリードスクリュー５００５の作用によってそれらの対応位置で所望の処理が行えるように構成されているが、周知のタイミングで所望の動作を行うようにすれば、本例にはいずれも適用できる。
【００３３】
＜制御構成の説明＞
次に、上述した装置の記録制御を実行するための制御構成について説明する。
【００３４】
図６はインクジェットプリンタＩＪＲＡの制御回路の構成を示すブロック図である。制御回路を示す同図において、１７００は記録信号を入力するインタフェース、１７０１はＭＰＵ、１７０２はＭＰＵ１７０１が実行する制御プログラムを格納するＲＯＭ、１７０３は各種データ（上記記録信号やヘッドに供給される記録データ等）を保存しておくＤＲＡＭである。
【００３５】
１７０４は記録ヘッドＩＪＨに対する記録データの供給制御を行うゲートアレイ（Ｇ．Ａ．）であり、インタフェース１７００、ＭＰＵ１７０１、ＲＡＭ１７０３間のデータ転送制御も行う。１７１０は記録ヘッドＩＪＨを搬送するためのキャリアモータ、１７０９は記録紙搬送のための搬送モータである。１７０５は記録ヘッドを駆動するヘッドドライバ、１７０６，１７０７はそれぞれ搬送モータ１７０９、キャリアモータ１７１０を駆動するためのモータドライバである。
【００３６】
上記制御構成の動作を説明すると、インタフェース１７００に記録信号が入るとゲートアレイ１７０４とＭＰＵ１７０１との間で記録信号がプリント用の記録データに変換される。そして、モータドライバ１７０６、１７０７が駆動されると共に、ヘッドドライバ１７０５に送られた記録データに従って記録ヘッドが駆動され、記録が行われる。
【００３７】
なお記録装置本体は記録ヘッドの記録素子を駆動するための電源電圧を前記記録ヘッドに供給する電源回路を持っている。
【００３８】
ここでは、ＭＰＵ１７０１が実行する制御プログラムをＲＯＭ１７０２に格納するものとしたが、ＥＥＰＲＯＭ等の消去／書き込みが可能な記憶媒体を更に追加して、インクジェットプリンタＩＪＲＡと接続されたホストコンピュータから制御プログラムを変更できるように構成することもできる。
【００３９】
なお、上述のように、インクタンクＩＴと記録ヘッドＩＪＨとは一体的に形成されて交換可能なインクカートリッジＩＪＣを構成しても良いが、これらインクタンクＩＴと記録ヘッドＩＪＨとを分離可能に構成して、インクがなくなったときにインクタンクＩＴだけを交換できるようにしても良い。
【００４０】
図７は、インクタンクとヘッドとが分離可能なインクカートリッジＩＪＣの構成を示す外観斜視図である。インクカートリッジＩＪＣは、図７に示すように、境界線Ｋの位置でインクタンクＩＴと記録ヘッドＩＪＨとが分離可能である。インクカートリッジＩＪＣにはこれがキャリッジＨＣに搭載されたときには、キャリッジＨＣ側から供給される電気信号を受け取るための電極（不図示）が設けられており、この電気信号によって、前述のように記録ヘッドＩＪＨが駆動されてインクが吐出される。
【００４１】
なお、図７において、５００はインク吐出口列である。また、インクタンクＩＴにはインクを保持するために繊維質状もしくは多孔質状のインク吸収体が設けられている。
以下、上記のインクジェットプリンタに搭載される、本発明の記録ヘッドの実施形態について説明する。
【００４２】
［第１の実施例］
図１は、本発明の記録ヘッドの第１の実施例における記録ヘッドに搭載される記録ヘッド用基板（素子基板）上でのレイアウトを示す。ここでは従来のサイズの素子基板も同時に記載した。
【００４３】
図の１では、インクを供給するためのインク供給穴と抵抗体で構成される記録素子、外部から素子基板内部に信号や電力を供給するためのパッドおよび記録素子に直列に接続され各記録素子を個別に駆動制御するＭＯＳトランジスタに関する部分のみを抜粋して示している。
【００４４】
なお、複数の抵抗体が共通の電源線に接続されている。なお、この素子基板には、発熱抵抗体、電源線、ＭＯＳトランジスタや記録データに基づいてＭＯＳトランジスタに信号を与えるロジック回路が作り込まれている。
【００４５】
本実施例では、記録素子のサイズとして幅２４μｍ×長さ２８μｍの発熱体を形成したものを用いた。この発熱体は約４００Ωの抵抗値を有している。これに対して記録装置本体から記録ヘッドの記録素子に供給される電源電圧は２４Ｖとした。これらの他にも配線の抵抗等が存在するがＭＯＳトランジスタのオン抵抗が低い場合は約５５〜６０ｍＡの電流が記録素子に流れることになる。
【００４６】
図１でわかるように、本実施例においてはＭＯＳトランジスタの部分の長さを約１／４としており、このことで従来よりも小型の素子基板としている。
【００４７】
従来例に対して約１／４のサイズとした背景を図２を用いて説明する。
【００４８】
記録素子を駆動するＭＯＳトランジスタのサイズはゲート幅Ｗで決定されるが、図２には本実施例で用いているＭＯＳトランジスタのゲート幅Ｗをパラメータとしてドレイン-ソース間電圧Ｖとヒータ駆動電流Iとの間の特性（Ｖ−Ｉ特性）を示している。
【００４９】
従来はゲート幅Ｗ＝５６０μｍサイズで記録ヘッド用の素子基板を形成していた。ここで図２を見ればわかる通り、Ｗ＝５６０μｍの場合、電流が５５〜６０ｍＡの領域においてはＭＯＳトランジスタが非飽和領域で動作させることで、オン抵抗が大きく変化しないところで動作するスイッチとして用いていた。このような非飽和領域での動作の場合、電源電圧等が変化するとオン抵抗が低く一定であるため、電流値が変化、すなわち記録素子に印加されるエネルギーが変動しやすく安定した記録、寿命が得られないという課題となっていた。
【００５０】
前述の特許文献３の構成においては例えば電源電圧がばらついても記録素子両端の電圧が一定となるようにＭＯＳトランジスタを制御する構成であるため比較的一定のエネルギーが記録素子に供給される。
【００５１】
しかしながら記録素子の抵抗材料が負の温度係数を持っている抵抗材料の場合では、記録素子両端の電圧が一定では温度上昇と共に電流が増加して結果的にエネルギーが増大する可能性があった。
【００５２】
このような負の温度係数を持つ記録素子を用いる場合でも、記録素子に流れる電流値を一定となるようにすることで記録素子に対するエネルギー負荷を少なくでき長寿命化を得ることができる。
【００５３】
ここで図２を見ると約５５〜６０ｍＡで飽和領域に入るＭＯＳトランジスタのゲート幅Ｗは約１４０μｍであることがわかる。
【００５４】
図３は記録素子およびＭＯＳトランジスタ周辺を示す図である。
【００５５】
ゲート幅は短くすれば、それだけチップサイズを小型化できる。従って、この実施例ではゲート幅を従来の５６０μｍから約１／４の１４０μｍに構成することで記録素子の駆動を制御するためのＭＯＳトランジスタを飽和領域で動作させることができ、記録素子に流れる電流を一定にすることができると共にドライバサイズの小型化も同時に行うことができた。
【００５６】
図４はＭＯＳトランジスタの一般的な特性を示す図である。
【００５７】
図４によれば、ゲート幅を十分小さくすることで飽和領域で動作させることができるため、この特性から分かるとおり、ゲート電圧に関係なく一定の電流を維持することが可能となる。
ここで、ＩDはドレイン電流、ＷはＭＯＳ−ＦＥＴのチャネル長、ＬはＭＯＳ−ＦＥＴのチャネル幅、μnはチャネル中のキャリア移動度、ＣOXはゲート酸化膜容量、ＶGはゲート電圧、ＶTHは閾値電圧、ＶDはドレイン電圧である。）
以上の一定電流を簡単に得られる構成をとることで、記録素子の抵抗値が駆動時のエネルギーで温度が上昇して抵抗が下がっても電流は印字装置の電源電圧（本実施例では２４Ｖ）に関係なく一定の電流を記録素子に流しつづけることから記録素子で消費するエネルギーは温度が高くなればなるほど少なくなり記録素子の長寿命化も可能となる。
【００５８】
［他の実施例］
以上説明した実施例は、発熱体（ヒータ）によりインクを急激に加熱、気化させ、発生した気泡の圧力によりインク液滴をオリフィスから吐出させる、いわゆるバブルジェット方式のインクジェット記録ヘッドを例に挙げて説明したが、電源電圧の変動や接続に関する寄生抵抗の影響を抑えるという本発明の作用・効果に鑑みれば、これ以外の方式によって記録を行う記録ヘッドに対しても本発明が適用できることは明らかであろう。
【００５９】
この場合、上記各実施例におけるヒータ抵抗の代わりに、各方式で使用する素子がそれぞれ設けられることとなる。
【００６０】
なお、以上の実施例において、記録ヘッドから吐出される液滴はインクであるとして説明し、さらにインクタンクに収容される液体はインクであるとして説明したが、その収容物はインクに限定されるものではない。例えば、記録画像の定着性や耐水性を高めたり、その画像品質を高めたりするために記録媒体に対して吐出される処理液のようなものがインクタンクに収容されていても良い。
【００６１】
以上の実施例は、特にインクジェット記録方式の中でも、インク吐出を行わせるために利用されるエネルギーとして熱エネルギーを発生する手段（例えば電気熱変換体）を備え、前記熱エネルギーによりインクの状態変化を生起させる方式を用いることにより記録の高密度化、高精細化が達成できる。
【００６２】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されている液路に対応して配置されている電気熱変換体に、記録情報に対応していて膜沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状をすると、即時適切に気泡の成長収縮が行われるので、特に応答性に優れた液体（インク）の吐出が達成でき、より好ましい。
【００６３】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００６４】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も本発明に含まれるものである。
【００６５】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００６６】
加えて、上記の実施形態で説明した記録ヘッド自体に一体的にインクタンクが設けられたカートリッジタイプの記録ヘッドのみならず、装置本体に装着されることで、装置本体との電気的な接続や装置本体からのインクの供給が可能になる交換自在のチップタイプの記録ヘッドを用いてもよい。
【図面の簡単な説明】
【００６７】
【図１】本発明の第１の実施例に従う記録ヘッドに搭載される記録ヘッド用基板を示す図である（ここでは従来の基板のサイズも同時に記載）。
【図２】第１の実施例で用いている記録素子を駆動するＭＯＳトランジスタのサイズを決定するゲート幅ＷをパラメータとしてＶ−Ｉ特性を示す図である。
【図３】記録素子を駆動するためのブロックを１ビット分抜粋した構成を示す図である。
【図４】ＭＯＳトランジスタの一般的な特性を示す図である。
【図５】本発明の代表的な実施例であるインクジェットプリンタの構成の概要を示す外観斜視図である。
【図６】図５のインクジェットプリンタの制御回路の構成を示すブロック図である。
【図７】インクタンクとヘッドとが分離可能なインクカートリッジの構成を示す外観斜視図である。
【図１】
2005138426.tif 000003
【図２】
2005138426.tif 000004
【図３】
2005138426.tif 000005
【図４】
2005138426.tif 000006
【図５】
2005138426.tif 000007
【図６】
2005138426.tif 000008
【図７】
2005138426.tif 000009